(57)【要約】      （修正有）【課題】洗面ボウルのオーバーフロー機能を損なうことなく、洗面ボウルのデッキ部を物置スペースとして有効に使うことができる洗面化粧台を提供する。【解決手段】底面に形成された排水口３ａと、側面に形成されたオーバーフロー孔部６とを有する洗面ボウル３と、排水口３ａに着脱自在に取り付けられる排水栓８と、を備えた洗面化粧台において、排水栓８には、排水栓８をオーバーフロー孔部６に装着するための装着部が設けられ、排水栓８をオーバーフロー孔部６に装着した場合に、洗面ボウル３の水をオーバーフロー孔部６に流出させることが可能な通水路を備えた。【選択図】図３
2012187360.tif 000002
【特許請求の範囲】
【請求項１】
底面に形成された排水口と、側面に形成されたオーバーフロー孔部とを有する洗面ボウルと、
前記排水口を止水することが可能な排水栓と、
を備えた洗面化粧台において、
前記排水栓には、当該排水栓を前記オーバーフロー孔部に装着するための装着部が設けられ、
前記排水栓を前記オーバーフロー孔部に装着した場合に、前記洗面ボウルの水を前記オーバーフロー孔部に流出させることが可能な通水路を備えたことを特徴とする洗面化粧台。
【請求項２】
前記排水栓は、前記排水口に栓をする栓体と、前記栓体に対して下方に延びて前記装着部が形成された脚部と、を有し、
前記脚部は、弾性変形可能な複数本の脚片を有し、前記複数本の脚片同士の間を前記通水路とすると共に前記脚片の端部に前記装着部を形成してなり、
前記オーバーフロー孔部は、前記脚片の弾性変形を利用して装着された前記装着部を拘束可能な係止突起を有することを特徴とする請求項１記載の洗面化粧台。
【請求項３】
前記排水栓の複数本の脚片は、前記栓体の下面において同心円上に形成されてなり、
前記オーバーフロー孔部の係止突起は前記同心円とほぼ同径の円形状に形成されたことを特徴とする請求項２記載の洗面化粧台。
【請求項４】
前記排水栓は、前記排水口を封止する栓体を有し、前記装着部は、前記排水栓の栓体の裏側に設けられ、
さらに、前記オーバーフロー孔部は、前記排水栓を前記オーバーフロー孔部に装着した場合に、前記栓体と前記オーバーフロー孔部の隙間に前記通水路が形成されるように、前記装着部を保持する排水栓保持部を有することを特徴とする請求項１記載の洗面化粧台。
【請求項５】
前記排水栓は、前記排水口を封止する栓体と、この栓体に対して垂直方向に延びて前記装着部が形成された脚部と、を有し、
さらに、前記オーバーフロー孔部は、前記通水路が形成された前記装着部を保持する排水栓保持部を有することを特徴とする請求項１記載の洗面化粧台。
【請求項６】
前記オーバーフロー孔部は、前記洗面ボウルの表面側に設けられて、端部に外向きに形成された外フランジを有するフランジ部材を備え、
前記フランジ部材は、前記オーバーフロー孔部の裏側に設けられたオーバーフロー管路に前記洗面ボウルを挟んで螺合されてなり、
一端が前記排水栓に連結された玉鎖の他端が連結されたリング状の玉鎖留め金具を、前記フランジ部材と洗面ボウルの間に挟んで固定したことを特徴とする請求項２乃至５の何れか１項に記載の洗面化粧台。
【発明の詳細な説明】
【技術分野】
【０００１】
本発明は、洗面ボウルの排水口を塞いで、水を貯めて使用することが可能な洗面化粧台に関する。
【背景技術】
【０００２】
洗面化粧台は、従来より、手洗い、洗顔、洗濯といった作業を行う際に、洗面ボウルの排水口を塞ぐ排水栓を有していた。この排水栓は、玉鎖によって洗面ボウルに繋がれることが多かった。ところが、排水栓を使わないときは、洗面ボウルの水栓周辺のデッキ部上に置くしかなく、デッキ部が狭くなってしまった。
排水口を止水しない場合の排水栓の扱いを工夫した洗面化粧台が、文献１〜３のように提案されている。
文献１（実開昭５７−８５９８７号公報）は、排水栓を洗面器の周縁上面に載置するものだが、これでは、洗面ボウルのデッキ部が狭くなってしまい、洗面ボウル周囲の物置きスペースが狭くなってしまうという問題があった。
文献２（実開昭５２−１１１２５０号公報）は、止水栓（排水栓）を水槽の側部に設けた溢水装置に保持させるものだが、止水栓を装着すると溢水口が塞がれてしまい、水槽から水が溢れ出てしまい、オーバーフロー機能が十分に機能しないという問題がある。
文献３（特開２００２−１５３３８９号公報）は、排水栓に鎖で接続された錘の重さで排水栓を持ち上げて鎖をオーバーフロー流路に納める構造であるが、排水栓をしっかり排水口に差し込まないと勝手に栓が抜けてしまう恐れがある。
【先行技術文献】
【特許文献】
【０００３】
【特許文献１】実開昭５７−８５９８７号公報
【特許文献２】実開昭５２−１１１２５０号公報
【特許文献３】特開２００２−１５３３８９号公報
【発明の概要】
【発明が解決しようとする課題】
【０００４】
本発明は、上記のような問題点を解消するために、洗面ボウルのオーバーフロー機能を損なうことなく、洗面ボウルのデッキ部を物置スペースとして有効に使うことができる洗面化粧台を提供することを目的とする。
【課題を解決するための手段】
【０００５】
上記した課題を解決するために、本発明は、底面に形成された排水口と、側面に形成されたオーバーフロー孔部とを有する洗面ボウルと、前記排水口を止水することが可能な排水栓と、を備えた洗面化粧台において、前記排水栓には、当該排水栓を前記オーバーフロー孔部に装着するための装着部が設けられ、前記排水栓を前記オーバーフロー孔部に装着した場合に、前記洗面ボウルの水を前記オーバーフロー孔部に流出させることが可能な通水路を備えたことを特徴とする。
【０００６】
これによれば、排水口を止水する排水栓を使わない時は、排水栓をオーバーフロー孔部に装着して保持することができる。そのため、排水栓を洗面ボウルのデッキ部に置く必要がなくなり、デッキ部を物置スペースとして広く使うことができる。また、排水栓をオーバーフロー孔部に装着した場合でも、洗面ボウルの水は通水路を介して流出することができるので、オーバーフロー機能を損なうことがない。よって、排水口が詰まった場合でも、洗面ボウルから水が溢れることがなく、安全である。また、オーバーフロー孔部を利用して排水栓を保持することにより、排水栓の保持のために洗面化粧台に特別な加工をする必要がなく、コストアップを避けることができる。
【０００７】
本発明において、好ましくは、前記排水栓は、前記排水口に栓をする栓体と、前記栓体に対して下方に延びて前記装着部が形成された脚部と、を有し、前記脚部は、弾性変形可能な複数本の脚片を有し、前記複数本の脚片同士の間を前記通水路とすると共に前記脚片の端部に前記装着部を形成してなり、前記オーバーフロー孔部は、前記脚片の弾性変形を利用して装着された前記装着部を拘束可能な係止突起を有する。
これによれば、排水栓の脚片の弾性変形を利用して排水栓をオーバーフロー孔部に簡単に装着することができる。
【０００８】
また、本発明において、好ましくは、前記排水栓の複数本の脚片は、前記栓体の下面において同心円上に形成されてなり、前記オーバーフロー孔部の係止突起は前記同心円とほぼ同径の円形状に形成される。
これによれば、排水栓の脚片は同心円上に沿って形成され、オーバーフロー孔部の係止突起も円形状に形成されているので、排水栓の向きを気にすることなく、簡単にオーバーフロー孔部に装着することができる。
【０００９】
また、本発明において、好ましくは、排水栓は排水口を封止する栓体を有し、装着部は排水栓の栓体の裏側に設けられ、さらに、オーバーフロー孔部は、排水栓をオーバーフロー孔部に装着した場合に、栓体とオーバーフロー孔部の隙間に通水路が形成されるように、装着部を保持する排水栓保持部を有する。
これによれば、オーバーフロー孔部に通水路を形成することなく、排水栓をオーバーフロー孔部に装着した状態でも、排水栓とオーバーフロー孔部との間から確実にオーバーフロー孔部へと排水することができる。
【００１０】
また、本発明において、好ましくは、排水栓は、排水口を封止する栓体と、この栓体に対して垂直方向に延びて装着部が形成された脚部と、を有し、さらに、オーバーフロー孔部は、通水路が形成された装着部を保持する排水栓保持部を有する。
これによれば、排水栓に通水路を形成しなくても、排水栓をオーバーフロー孔部に取り付けた状態であっても、確実にオーバーフロー孔部へと排水することができる。
【００１１】
さらに、また、本発明において、好ましくは、前記オーバーフロー孔部は、前記洗面ボウルの表面側に設けられて、端部に外向きに形成された外フランジを有するフランジ部材を備え、前記フランジ部材は、前記オーバーフロー孔部の裏側に設けられたオーバーフロー管路に前記洗面ボウルを挟んで螺合されてなり、一端が前記排水栓に連結された玉鎖の他端が連結されたリング状の玉鎖留め金具を、前記フランジ部材と洗面ボウルの間に挟んで固定する。
これによれば、排水栓を洗面ボウルに繋ぐ玉鎖を、オーバーフロー孔部に固定しているので、洗面ボウルのデッキ部に玉鎖を置く必要がなくなる。そのため、従来のゴム栓式の排水栓や、ポップアップ式排水栓と比較しても、洗面ボウルのデッキ部を物置スペースとして、より広く使うことができる。さらに、オーバーフロー孔部を利用して玉鎖を固定しているため、玉鎖を固定するための部材を新たに設ける必要がなく、コストを削減することができる。
【発明の効果】
【００１２】
本発明によれば、洗面ボウルのオーバーフロー機能を損なうことなく、洗面ボウルのデッキ部を物置スペースとして有効に使うことができる洗面化粧台を提供することができる。
【図面の簡単な説明】
【００１３】
【図１】本発明の洗面化粧台の全体斜視図である。
【図２】本発明の洗面化粧台における洗面ボウルの斜視図である。
【図３】洗面ボウルの部分拡大図である。
【図４】洗面ボウルを、排水口とオーバーフロー孔部を含む線で切断した縦断面図である。
【図５】オーバーフロー孔部の分解図である。
【図６】オーバーフロー孔部のフランジ部材を示す図で、（ａ）は斜視図、（ｂ）は縦断面図である。
【図７】排水栓を示す図で、（ａ）は上面図、（ｂ）は（ａ）のＸ−Ｘ断面図である。
【図８】洗面ボウルのオーバーフロー孔部に排水栓を装着した状態を示す斜視図である。
【図９】排水栓を装着した状態のオーバーフロー孔部を示す断面図である。
【図１０】オーバーフロー孔部に排水栓を装着する前後の状態を示すオーバーフロー孔部の拡大斜視図であり、（ａ）は排水栓装着前、（ｂ）は排水栓装着後の状態を示す。
【図１１】本発明の第２実施形態による洗面化粧台の排水栓を示し、（ａ）は上方斜視図、（ｂ）は立面図、（ｃ）は下方斜視図である。
【図１２】本発明の第２実施形態による洗面化粧台のフランジ部材を示し、（ａ）は上方斜視図、（ｂ）は立面図、（ｃ）は下方斜視図である。
【図１３】第２実施形態による洗面化粧台において、排水栓により排水口を止水した様子を示す鉛直断面図である。
【図１４】第２実施形態による洗面化粧台においてオーバーフロー孔部に排水栓を装着した様子を示す鉛直断面図である。
【図１５】本発明の第３実施形態による洗面化粧台の排水栓を示し、（ａ）は上方斜視図、（ｂ）は立面図、（ｃ）は下方斜視図である。
【図１６】第３実施形態による洗面化粧台において、排水栓により排水口を止水した様子を示す鉛直断面図である。
【図１７】第３実施形態による洗面化粧台においてオーバーフロー孔部に排水栓を装着した様子を示す鉛直断面図である。
【図１８】本発明の第４実施形態による洗面化粧台の排水栓を示し、（ａ）は上方斜視図、（ｂ）は立面図、（ｃ）は下方斜視図である。
【図１９】本発明の第４実施形態による洗面化粧台のフランジ部材を示し、（ａ）は上方斜視図、（ｂ）は立面図、（ｃ）は下方斜視図である。
【図２０】第４実施形態による洗面化粧台においてオーバーフロー孔部に排水栓を装着した様子を示す鉛直断面図である。
【図２１】本発明の第５実施形態による洗面化粧台の排水栓を示し、（ａ）は上方斜視図、（ｂ）は立面図、（ｃ）は下方斜視図である。
【図２２】本発明の第５実施形態による洗面化粧台のフランジ部材を示し、（ａ）は上方斜視図、（ｂ）は立面図、（ｃ）は下方斜視図である。
【図２３】第５実施形態による洗面化粧台においてオーバーフロー孔部に排水栓を装着した様子を示す鉛直断面図である。
【図２４】本発明の第６実施形態による洗面化粧台の排水栓を示し、（ａ）は上方斜視図、（ｂ）は立面図、（ｃ）は下方斜視図である。
【図２５】本発明の第６実施形態による洗面化粧台のフランジ部材を示し、（ａ）は上方斜視図、（ｂ）は立面図、（ｃ）は下方斜視図である。
【図２６】第６実施形態による洗面化粧台においてオーバーフロー孔部に排水栓を装着した様子を示す鉛直断面図である。
【図２７】本発明の第７実施形態による洗面化粧台の排水栓を示し、（ａ）は上方斜視図、（ｂ）は立面図、（ｃ）は下方斜視図である。
【図２８】本発明の第７実施形態による洗面化粧台のフランジ部材を示し、（ａ）は上方斜視図、（ｂ）は立面図、（ｃ）は下方斜視図である。
【図２９】第７実施形態による洗面化粧台においてオーバーフロー孔部に排水栓を装着した様子を示す鉛直断面図である。
【発明を実施するための形態】
【００１４】
次に、添付図面を参照して、本発明の第１実施形態による洗面化粧台を説明する。
図１は本発明の洗面化粧台を示す斜視図であり、図２は洗面化粧台における洗面ボウルの斜視図であり、図３はこの洗面ボウルの部分拡大図である。
【００１５】
洗面化粧台１は、床上に置かれるキャビネット２と、その上部に設置される洗面ボウル３と、洗面ボウル３に吐水する水栓４とを備えている。また、洗面ボウル３の上方には、ミラーキャビネット５が設置されている。
【００１６】
図２及び図３に示すように、洗面ボウル３は、排水口３ａを有するボウル部３ｂと、水栓４を取り付けるための取付孔３ｃが形成されたデッキ部３ｄと、を有している。このデッキ部３ｄは、物置スペースとして利用することができる。例えば、洗顔、手洗い、洗髪、洗濯、等、洗面化粧台で作業する際に使用する備品を置いたり、メガネやアクセサリー類の一時置き場所として利用することができる。
また、洗面ボウル３は、ボウル部３ｂに水を溜めるときに水が溢れないように水を排出するオーバーフロー孔部６を備えている。また、洗面ボウル３は、ボウル部３ｂの右奥側面を後方に膨らませた排水領域３ｅを有している。この排水領域３ｅの底面に排水口３ａが形成され、排水領域３ｅの側面にオーバーフロー孔部６が設けられている。
【００１７】
また、洗面ボウル３は、髪の毛等の異物を捕集するヘアキャッチャー７と、排水口３ａを止水可能な排水栓８が設置されている。ヘアキャッチャー７は排水口３ａに対して着脱可能に設置されていて、排水口３ａから取り外して貯まった異物を取り除くことができる。排水栓８は、オーバーフロー孔部６に対して着脱可能に設置されていて、ボウル部３ｂに水を溜めるときに排水口３ａに装着して、排水口３ａを止水することができる。
【００１８】
図４は、洗面ボウルを排水口とオーバーフロー孔部を含む線で切断した縦断面図である。
図に示すように、排水口３ａに排水栓８を装着すると、オーバーフロー孔部６の位置までボウル部３ｂに水を溜めることができる。そして、ボウル部３ｂの水位がオーバーフロー孔部６を超えると、オーバーフロー孔部６からオーバーフロー管路９を通って排水管１０に水が排出されるので、ボウル部３ｂから水が溢れることはない。
【００１９】
次に、オーバーフロー孔部６について説明する。
図５はオーバーフロー孔部の分解図であり、図６（ａ）はオーバーフロー孔部を構成するフランジ部材を示す斜視図、図６（ｂ）はフランジ部材の縦断面図である。
【００２０】
図５に示すように、オーバーフロー孔部６は、ボウル部３ｂの排水領域３ｅの側面に形成された開口３ｆを挟んで、ボウル部３ｂの外側に設置されるオーバーフロー管路９に対して、ボウル部３ｂの内側からねじ込まれる円筒状のフランジ部材１０によって構成されている。
【００２１】
フランジ部材１０は、例えば、ポリアセタール（ＰＯＭ）によって成形され、図６に示すように、外周面に雄ネジ１０ａが形成された円筒１０ｂの端部に、ボウル部３ｂの側面に当設する外フランジ１０ｃが形成されている。また、外フランジ１０ｃには、外フランジ１０ｃの表面との間に隙間１０ｄを有する係止突起１０ｅが形成されている。この係止突起１０ｅは、フランジ部材１０と同軸の円形状となっている。
【００２２】
そして、オーバーフロー管路９の端部には雌ネジ９ａが形成されている。フランジ部材１０は、ボウル部３ｂの外側に円環状のパッキン１１を、ボウル部３ｂの内側にはリング状の玉鎖留め金具１２を、それぞれ挟んで、オーバーフロー管路９の雌ネジ９ａにねじ込まれて固定されている。また、玉鎖留め金具１２玉鎖留め金具１２の下端部に、排水栓８が連結された玉鎖１３が固定されている。
【００２３】
なお、図６に示すように、洗面ボウル３の排水領域３ｅの側面は、外側に開くように傾斜しているため、オーバーフロー孔部６の端部も上向きに傾いている。
【００２４】
次に、排水栓８について説明する。
図７（ａ）は排水栓を示す上面図、図７（ｂ）は図７（ａ）のＸ−Ｘ断面図である。
図７に示すように、排水栓８は、周囲にシール部８ａを有する栓体８ｂと、栓体８ｂの上面に形成された玉鎖連結部８ｃと、栓体８ｂの下面に栓体８ｂの下方に向けて延びるように形成された脚部８ｄと、脚部８ｄの先端に形成された装着部８ｅとを有している。このうち、少なくとも脚部８ｄは、弾性変形可能な樹脂材料（例えば、軟質ポリ塩化ビニル（軟質ＰＶＣ））によって形成されている。
【００２５】
脚部８ｄは、栓体８ｂの下面において同心円上に、そして所定間隔をあけて形成された４本の脚片８ｆで構成されている。この脚片８ｆが形成される同心円は、前述したオーバーフロー孔部６のフランジ部材１０に形成された円形状の係止突起１０ｅとほぼ同じ径を有する。なお、本実施形態においては、脚片８ｆの先端の内側に突部を形成して、この突部をオーバーフロー孔部６への装着部８ｅとしているが、装着部８ｅには必ずしも突部は必要ではない。突部がない場合でも、前述したようにオーバーフロー孔部６の端部は上向きに傾いているので、排水栓８を装着しても落下しにくくなっている。
【００２６】
次に、排水口３ａに装着されていないときの排水栓８の保持方法について説明する。
図８は洗面ボウルのオーバーフロー孔部に排水栓を装着した状態を示す斜視図であり、図９は排水栓を装着した状態のオーバーフロー孔部を示す断面図である。
排水栓８は、常時は、ボウル部３ｂの側面に形成されたオーバーフロー孔部６に装着されて保持される。
【００２７】
図８に示すように、排水栓８の４本の脚片８ｆが、オーバーフロー孔部６のフランジ部材１０に装着される。より具体的には、排水栓８の４本の脚片８ｆの先端に形成された突部（装着部）８ｅが、フランジ部材１０の外フランジ１０ｃと係止突起１０ｅの間に設けられた隙間１０ｄに嵌め込まれている。脚片８ｆは弾性変形可能であるので、排水栓８を装着する際には、脚片８ｆが弾性変形によって外側に広がって突部（装着部）８ｅが係止突起１０ｅを乗り越えて隙間１０ｄに嵌め込まれるので、装着作業は簡単である。
【００２８】
また、フランジ部材１０及び係止突起１０ｅは、円形状である。そして、係止突起１０ｅは、排水栓８の４本の脚片８ｆが並ぶ同心円とほぼ同じ径とされている。そのため、排水栓８をオーバーフロー孔部６に装着するにあたり、排水栓８の向きを気にすることなく装着することができるので、装着作業をより簡単に行うことができる。
【００２９】
そして、図９に示すように、排水栓８がフランジ部材１０に装着された状態において、排水栓８の栓体８ｂとフランジ部材１０との間、すなわち、排水栓８の４本の脚片８ｆ同士の間が、通水可能な通水路１４となっている。このため、排水栓８をオーバーフロー孔部６に装着した場合でも、オーバーフロー孔部６は止水されることなく、通水路１４を介して水を排出することが可能である。
【００３０】
図１０はオーバーフロー孔部に排水栓を装着する前後の状態を示すオーバーフロー孔部の拡大斜視図であり、（ａ）は排水栓装着前、（ｂ）は排水栓装着後を示す。
オーバーフロー孔部６は、図１０（ａ）に示すように、ボウル部３ｂの排水領域３ｅの側面に丸い穴が開いたように構成されている。そのオーバーフロー孔部６に排水栓８を装着すると、図１０（ｂ）に示すように、オーバーフロー孔部６は排水栓８によって隠され、オーバーフロー孔部６からオーバーフロー管路９に物が入り込んで排水管に流出することがない。
【００３１】
さて、洗面ボウル３に水を溜める時には、排水栓８を排水口３ａに被せて排水口３ａを止水する。そして、溜まった水を排水する時には、玉鎖１３を持ち上げて排水口３ａから排水栓８を外す。その後、排水栓８の周縁部あるいは玉鎖連結部８ｃを手で持って、オーバーフロー孔部６に排水栓８を装着するのである。
【００３２】
以上説明したように、本発明の実施形態における洗面化粧台は、排水口を塞ぐ排水栓を使わない時は、排水栓をオーバーフロー孔部に装着して保持するようになっている。そのため、排水栓を洗面ボウルのデッキ部に置く必要がなくなり、デッキ部を物置スペースとして広く使うことができる。
【００３３】
また、排水栓を洗面ボウルに繋ぐ玉鎖を、オーバーフロー孔部に固定しているので、洗面ボウルのデッキ部から玉鎖を置く必要がなくなる。そのため、従来のゴム栓式の排水栓や、ポップアップ式排水栓と比較しても、洗面ボウルのデッキ部を物置スペースとして、より広く使うことができる。
【００３４】
さらに、また、排水栓をオーバーフロー孔部に装着した場合でも、洗面ボウルの水は通水路を介して流出するので、オーバーフロー機能を損なうことがない。よって、排水口が詰まった場合でも、洗面ボウルから水が溢れることがなく、安全である。
【００３５】
また、排水栓の脚片の弾性変形を利用して排水栓をオーバーフロー孔部に簡単に装着することができる。さらには、排水栓の脚片は同心円上に沿って形成され、オーバーフロー孔部の係止突起も円形状に形成されているので、排水栓の向きを気にすることなく、簡単にオーバーフロー孔部に装着することができる。
【００３６】
さらに、排水栓をオーバーフロー孔部に装着すると、オーバーフロー孔部が排水栓で隠れるので、オーバーフロー孔部からオーバーフロー管路に小さな物が入り込んで排水管に流出することがない。
【００３７】
以下、本発明の第２実施形態による洗面化粧台について説明する。なお、本実施形態において、第１実施形態と同様の構成要素については、図中同じ符号を用いて説明を省略する。本実施形態では、排水栓及びフランジ部材として第１実施形態と異なるものを用いている。
【００３８】
図１１及び図１２は、それぞれ本発明の第２実施形態による洗面化粧台の排水栓１８及びフランジ部材２０を示し、（ａ）は上方斜視図、（ｂ）は立面図、（ｃ）は下方斜視図である。図１１に示すように、排水栓１８は、周囲にシール部１８ａを有する円板状の栓体１８ｂと、栓体１８ｂの上面に形成された玉鎖連結部１８ｃと、栓体１８ｂの下面から突出する円筒状の脚部１８ｄとを有する。脚部１８ｄは、半径が栓体１８ｂに比べて小さい円筒状に形成され、周方向に間隔をあけて複数の（本実施形態では４つの）矩形状の開口１８ｅが形成されている。本実施形態では、この脚部１８ｄが、排水栓１８をオーバーフロー孔部６に取り付けられたフランジ部材に装着するための装着部として機能する。
【００３９】
図１２に示すように、本実施形態のフランジ部材２０は、外周面に雄ネジ２０ａが形成された円筒部２０ｂの上縁部に外フランジ２０ｃが形成されてなる。円筒部２０ｂの内周面には、周方向に間隔をあけて複数の（本実施形態では４つの）係止突起２０ｄが形成されている。この係止突起２０ｄの外フランジ２０ｃ側の端部は、円筒部２０ｂの外フランジ２０ｃ側の縁から所定の間隔をあけた位置で終端している。この係止突起２０ｄの終端する位置は、後述するように、フランジ部材２０に排水栓１８を装着したときに、排水栓１８の栓体１８ｂとフランジ部材２０の外フランジ２０ｃとの間に隙間が形成されるように決定されている。
【００４０】
図１３は、第２実施形態による洗面化粧台において、排水栓１８により排水口３ａを止水した様子を示す鉛直断面図である。同図に示すように、本実施形態では、円弧状断面を有する洗面ボウル３ｂの内周面に排水栓１８の周囲のシール部１８ａが密着することにより、排水口３ａを止水することができる。
【００４１】
また、第１実施形態と同様に、本実施形態においても、排水栓１８は、排水口３ａに装着していない場合には、オーバーフロー孔部６に装着されて保持される。図１４は、第２実施形態による洗面化粧台においてオーバーフロー孔部６に排水栓１８を装着した様子を示す鉛直断面図である。同図に示すように、第１実施形態と同様に、フランジ部材２０は、円筒部２０ｂを、リング状の玉鎖止め金具１２と、円環状のパッキン１１と、に挿入した状態で、円筒部２０ｂの外周に形成された雄ネジ２０ａをオーバーフロー管路９の端部に形成された雌ネジ９ｂに螺合させることにより、オーバーフロー管路９に取り付けられている。なお、図示しないが、第１実施形態と同様に、玉鎖止め金具１２には、排水栓１８の玉鎖連結部１８ｃに一端が連結された玉鎖の他端が固定されている。また、後述する第３乃至第７実施形態についても同様である。
【００４２】
図１４に示すように、本実施形態において、オーバーフロー孔部６に排水栓１８を装着する場合には、排水栓１８の脚部１８ｄをオーバーフロー管路９に取り付けたフランジ部材２０の円筒部２０ｂ内に挿入する。この際、排水栓１８の脚部１８ｄの先端が、フランジ部材２０の円筒部２０ｂ内に形成された係止突起２０ｄと係合することにより、排水栓１８の栓体１８ｂとフランジ部材２０の外フランジ２０ｃとの間に隙間が形成された状態で排水栓１８が保持される。これにより、オーバーフロー孔部６に排水栓１８を装着した状態であっても、排水栓１８の栓体１８ｂとフランジ部材２０の外フランジ２０ｃとの間の隙間から排水栓１８の円筒部１８ｄに形成された開口１８ｅを通る通水路が形成され、この通水路を介してオーバーフロー管路９へ水を排出することができる。
本実施形態によれば、上記の第１実施形態と同様の効果が得られる。
【００４３】
以下、本発明の第３実施形態による洗面化粧台について説明する。なお、本実施形態において、第１及び第２実施形態と同様の構成要素については、図中同じ符号を用いて説明を省略する。本実施形態では、排水栓として第１及び第２実施形態と異なるものを用い、フランジ部材として第２実施形態と同様のものを用いている。
【００４４】
図１５は、本発明の第３実施形態による洗面化粧台の排水栓３８を示し、（ａ）は上方斜視図、（ｂ）は立面図、（ｃ）は下方斜視図である。同図に示すように、排水栓３８は、円錐台状のゴム製の栓体部３８ａと、栓体部３８ａの断面積が大きい側の面（以下、上面という）に形成された玉鎖連結部３８ｃを有する。栓体部３８ａには、周方向に所定の間隔をあけて複数の切り欠き３８ｂ（本実施形態では３つ）が形成されており、この切り欠き３８ｂは、栓体部３８ａの断面積が小さい側の面（以下、下面という）から延び、上面の手間で終端している。なお、本実施形態では、栓体部３８ａが排水栓３８をオーバーフロー孔部６に取り付けられたフランジ部材に装着するための装着部として機能する。
【００４５】
栓体部３８ａは、洗面化粧台の排水口に嵌め込めるように、その上面が排水口の孔の径よりもわずかに大きくなるように形成されており、また、切り欠き３８ｂは、後述するようにフランジ部材２０内に挿入した際に、その一部が洗面ボウル内まで達するような長さに形成されている。
【００４６】
図１６は、第３実施形態による洗面化粧台において、排水栓３８により排水口３ａを止水した様子を示す鉛直断面図である。同図に示すように、本実施形態では、排水口３ａ内にゴム製の栓体部３８ｂを挿入することにより、栓体部３８ｂの上部が排水口３ａの縁と密着し、これにより、排水口３ａを封止することができる。
【００４７】
第１実施形態と同様に、本実施形態においても、排水栓３８は、排水口３ａに装着していない場合には、オーバーフロー孔部６に装着されて保持される。図１７は、第３実施形態による洗面化粧台においてオーバーフロー孔部６に排水栓３８を装着した様子を示す鉛直断面図である。同図に示すように、本実施形態において、オーバーフロー孔部６に排水栓３８を装着する場合には、排水栓３８の栓体部３８ａをオーバーフロー管路９に取り付けたフランジ部材２０の円筒部２０ｂ内に挿入する。この際、排水栓３８の栓体部３８ａの先端が、フランジ部材２０の円筒部２０ｂ内に形成された係止突起２０ｄと係合するため、栓体部３８ａに形成された切り欠き３８ｂが洗顔ボウル内に現われた状態で排水栓３８が保持されることになる。これにより、オーバーフロー孔部６に排水栓を装着した状態であっても、排水栓３８の切り欠き部３８ｂを通る通水路が形成され、この通水路を介してオーバーフロー管路９へ水を排出することができる。
本実施形態によれば、上記の第１実施形態と同様の効果が得られる。
【００４８】
以下、本発明の第４実施形態による洗面化粧台について説明する。なお、本実施形態において、第１乃至第３実施形態と同様の構成要素については、図中同じ符号を用いて説明を省略する。本実施形態では、排水栓及びフランジ部材として第１乃至第３実施形態と異なるものを用いている。
【００４９】
図１８及び図１９は、それぞれ本発明の第４実施形態による洗面化粧台の排水栓５８及びフランジ部材６０を示し、（ａ）は上方斜視図、（ｂ）は立面図、（ｃ）は下方斜視図である。図１８に示すように、本実施形態の排水栓５８は、周囲にシール部５８ａを有する円板状の栓体５８ｂと、栓体５８ｂの上面に形成された玉鎖連結部５８ｃと、栓体５８ｂの下面に形成された複数の脚部５８ｄと、栓体５８ｂの下面中心に形成され、下面に開放する嵌合穴５８ｅを有する突出部５８ｆとを有する。
【００５０】
脚部５８ｄは、栓体５８ｂの下面に、栓体５８ｂと同心、かつ、栓体５８ｂに比べて小径の円周上に周方向に間隔をあけて形成され、栓体５８ｂの下方に向けて突出している。脚部５８ｄは下方に向かって幅が小さく半径方向の厚さが小さくなるようなテーパーが形成されており、後述するように、排水栓５８をフランジ部材６０に装着した際に、脚部５８ｄの先端が外フランジ６０ｃと当接するような長さを有している。
【００５１】
突出部５８ｆは円柱状に形成されており、下面中央に形成された嵌合穴５８ｅは、後述するように、フランジ部材６０の突出部６０ｆを挿入可能なような形状に形成されている。
なお、本実施形態では、嵌合穴５８ｅを有する突出部５８ｆが排水栓５８をオーバーフロー孔部６に取り付けられたフランジ部材に装着するための装着部として機能する。
【００５２】
図２０に示すように、本実施形態のフランジ部材６０は、外周面に雄ネジ６０ａが形成された円筒部６０ｂと、円筒部６０ｂの縁部に形成された外フランジ６０ｃと、円筒部６０ｂの内周面から中心に向けて延びる複数のアーム部６０ｄと、アーム部６０ｄにより支持された円錐形の基部６０ｅと、基部６０ｅの先端に接続され、円筒部６０ｂの外フランジ６０ｃ側の縁から突出する突出部６０ｆとを有する。突出部６０ｆの外フランジ６０ｃ側の縁からの突出長さは、後述するように排水栓５８の嵌合穴５８ｅをフランジ部材６０の突出部６０ｆに嵌合させた際に、フランジ部材６０の外フランジ６０ｃと、排水栓６０の栓体５８ｂとの間に隙間が形成されるような長さとなっている。
【００５３】
図示は省略するが、本実施形態においても、第１実施形態と同様に、円弧状断面を有する洗面ボウルの内周面に排水栓５８の周囲のシール部５８ａが密着することにより、排水口を止水することができる。
【００５４】
第１実施形態と同様に、本実施形態においても、排水栓５８は、排水口に装着していない場合には、オーバーフロー孔部６に装着されて保持される。図２０は、第４実施形態による洗面化粧台においてオーバーフロー孔部６に排水栓５８を装着した様子を示す鉛直断面図である。同図に示すように、本実施形態において、オーバーフロー孔部６に排水栓５８を装着する場合には、フランジ部材６０の突出部６０ｆが排水栓５８の裏面の円柱部５８ｆに形成された嵌合穴５８ｅに挿入されるように、排水栓５８を装着する。この際、排水栓５８の栓体５８ｂと、フランジ部材６０の外フランジ６０ｃとの間に空隙が形成されるが、排水栓５８の脚部５８ｄがフランジ部材６０の外フランジ６０ｃに当接することにより、排水栓５８のぐらつきを防止できる。
【００５５】
このように排水栓５８をオーバーフロー孔部６に装着した状態において、排水栓５８の栓体５８ｂと、フランジ部材６０の外フランジ６０ｃとの隙間における排水栓５８の脚部５８ｄの間の部分を通り、さらに、フランジ部材６０のアーム部６０ｄ間を通る通水路が形成され、この通水路を介してオーバーフロー管路９へ水を排出することができる。
【００５６】
本実施形態によっても、上記の第１実施形態と同様の効果が得られる。
さらに、本実施形態によれば、フランジ部材６０の突出部６０ｆに、排水栓５８の嵌合穴５８ｅを嵌め込む構成としたため、フランジ部材６０の突出部６０ｆが排水栓５８の取付け位置の目印となるため、排水栓５８の取付けを容易に行うことができる。
【００５７】
以下、本発明の第５実施形態による洗面化粧台について説明する。なお、本実施形態において、第１乃至第４実施形態と同様の構成要素については、図中同じ符号を用いて説明を省略する。本実施形態では、排水栓及びフランジ部材として第１乃至第４実施形態と異なるものを用いている。
【００５８】
図２１及び図２２は、それぞれ本発明の第５実施形態による洗面化粧台の排水栓７８及びフランジ部材を示し、（ａ）は上方斜視図、（ｂ）は立面図、（ｃ）は下方斜視図である。
図２１に示すように、本実施形態の排水栓７８は、周囲にシール部７８ａを有する円板状の栓体７８ｂと、栓体７８ｂの上面に形成された玉鎖連結部７８ｃと、栓体７８ｂの下面に栓体７８ｂの下方に向けて延びるように形成された脚部７８ｄと、脚部７８ｄの先端に排水栓の中心に向かって形成された爪部７８ｅとを有している。このうち、少なくとも脚部７８ｄは、弾性変形可能な樹脂材料（例えば、軟質ポリ塩化ビニル（軟質ＰＶＣ））によって形成されている。また、脚部７８ｄは栓体７８ｂの下面に円周状に設けられており、この円周は、後述するオーバーフロー孔部６のフランジ部材８０に形成された円形状の上面板８０ｅと略同じ半径を有する。なお、本実施形態では、爪部７８ｅが排水栓７８をオーバーフロー孔部６に取り付けられたフランジ部材に装着するための装着部として機能する。
【００５９】
図２２に示すように、本実施形態のフランジ部材８０は、外周面に雄ネジ８０ａが形成された円筒部８０ｂと、円筒部８０ｂの縁部に形成された外フランジ８０ｃと、外フランジ８０ｃの上面に周方向に間隔をあけて立設された複数の支持部８０ｄと、支持部８０ｄにより外フランジ８０ｃと隙間をあけて支持された円板状の上面板８０ｅとを有する。上面板８０ｅの外周面には全周に亘って係合溝８０ｆが形成されており、この係合溝８０ｆの幅は排水栓７８の脚部７８ｄの先端の爪部７８ｅの厚さと略等しい。また、外フランジ８０ｃ、支持部８０ｄ、及び上面板８０ｅにより囲まれた部分には、円筒部８０ｂの内部と連通する開口８０ｇが画成される。
【００６０】
図示は省略するが、本実施形態においても、第１実施形態と同様に、円弧状断面を有する洗面ボウルの内周面に排水栓７８の周囲のシール部７８ａが密着することにより、排水口を止水することができる。
【００６１】
第１実施形態と同様に、本実施形態においても、排水栓７８は、排水口に装着していない場合には、オーバーフロー孔部６に装着されて保持される。図２１は、第５実施形態による洗面化粧台においてオーバーフロー孔部６に排水栓を装着した様子を示す鉛直断面図である。同図に示すように、本実施形態において、オーバーフロー孔部６に排水栓７８を装着する場合には、排水栓７８の脚部７８ｄの先端の爪部７８ｅを、フランジ部材８０の上面板８０ｅの外周に形成された係合溝８０ｆに嵌め込めばよい。なお、上記のように脚部７８ｄは、弾性変形可能な樹脂材料により形成されているため、容易に排水栓７８の爪部７８ｅをフランジ部材８０の係合溝８０ｆに嵌め込むことができる。これにより排水栓７８がフランジ部材８０に保持される。
【００６２】
このように排水栓７８をオーバーフロー孔部６に装着した状態において、フランジ部材の上面板８０ｅと外フランジ８０ｃとの間に形成された開口８０ｇを通る通水路が形成され、この通水路を介してオーバーフロー管路９へ水を排出することができる。
本発明によっても、上記の第１実施形態と同様の効果が得られる。
【００６３】
以下、本発明の第６実施形態による洗面化粧台について説明する。なお、本実施形態において、第１乃至第５実施形態と同様の構成要素については、図中同じ符号を用いて説明を省略する。本実施形態では、排水栓及びフランジ部材として第１乃至第５実施形態と異なるものを用いている。
【００６４】
図２４及び図２５は、それぞれ本発明の第６実施形態による洗面化粧台の排水栓及びフランジ部材を示し、（ａ）は上方斜視図、（ｂ）は立面図、（ｃ）は下方斜視図である。
図２４に示すように、本実施形態の排水栓９８は、周囲にシール部９８ａを有する円板状の栓体９８ｂと、栓体９８ｂの上面に形成された玉鎖連結部９８ｃと、栓体９８ｂの下面に栓体９８ｂの下方に向けて延びるように形成された脚部９８ｄと、脚部９８ｄの先端に外側に向かって形成された爪部９８ｅとを有している。このうち、少なくとも脚部９８ｄは、弾性変形可能な樹脂材料（例えば、軟質ポリ塩化ビニル（軟質ＰＶＣ））によって形成されている。
【００６５】
脚部９８ｄは、栓体９８ｂと同心円上に所定間隔をあけて設けられている。この脚部９８ｄが形成される同心円は、後述するオーバーフロー孔部６のフランジ部材１０のフランジ面に形成された中心開口と略等しい径を有する。脚部９８ｄは、後述するように、フランジ部材１００に排水栓９８を装着した際に、フランジ部材１００のフランジ面と、排水栓９８の栓体９８ｂとの間に水が流通可能な隙間が形成されるような長さを有する。なお、本実施形態では、爪部９８ｅが排水栓９８をオーバーフロー孔部６に取り付けられたフランジ部材１００に装着するための装着部として機能する。
【００６６】
図２５に示すように、本実施形態のフランジ部材１００は、外周面に雄ネジ１００ａが形成された円筒部１００ｂと、円筒部１００ｂの一方の端部に接続された円板状のフランジ面１００ｃと、を有する。
フランジ面１００ｃの中央には円形の中心開口１００ｄが形成されており、この中心開口１００ｄの内周面には全周に亘って係合溝１００ｅが形成されている。この係合溝１００ｅは、幅が排水栓９８の爪部９８ｅの厚さと略等しくなるように形成されている。また、フランジ面１００ｃの中心開口１００ｄの周囲には、複数の円弧状の周辺開口１００ｆが形成されている。
【００６７】
図示は省略するが、本実施形態においても、第１実施形態と同様に、円弧状断面を有する洗面ボウルの内周面に排水栓９８の周囲のシール部９８ａが密着することにより、排水口を止水することができる。
【００６８】
第１実施形態と同様に、本実施形態においても、排水栓９８は、排水口に装着していない場合には、オーバーフロー孔部６に装着されて保持される。
図２６は、第６実施形態による洗面化粧台においてオーバーフロー孔部６に排水栓９８を装着した様子を示す鉛直断面図である。同図に示すように、本実施形態において、オーバーフロー孔部６に排水栓９８を装着する場合には、排水栓９８の爪部９８ｅを、フランジ部材１００のフランジ面１００ｃの中心開口１００ｄの内周面に形成された係合溝１００ｅに嵌め込めばよい。なお、上記のように脚部９８ｄは、弾性変形可能な樹脂材料により形成されているため、容易に排水栓９８の爪部９８ｅをフランジ部材１００ｃの係合溝１００ｅに嵌め込むことができる。これにより排水栓９８がフランジ部材１００に保持される。
【００６９】
このように排水栓９８をオーバーフロー孔部６に装着した状態において、フランジ部材１００のフランジ面１００ｃと、排水栓９８の栓体９８ｂとの間に隙間が形成されているため、この隙間を通り、さらに、フランジ部材１００のフランジ面１００ｃに形成された中心開口１００ｄ及び周辺開口１００ｅを通る通水路が形成され、この通水路を介して中心開口１００ｄや周辺開口１００ｆからオーバーフロー管路９へ水を排出することができる。
本発明によっても、上記の第１実施形態と同様の効果が得られる。
【００７０】
以下、本発明の第７実施形態による洗面化粧台について説明する。なお、本実施形態において、第１乃至第６実施形態と同様の構成要素については、図中同じ符号を用いて説明を省略する。本実施形態では、排水栓及びフランジ部材として第１乃至第６実施形態と異なるものを用いている。図２７及び図２８は、それぞれ本発明の第７実施形態による洗面化粧台の排水栓及びフランジ部材を示し、（ａ）は上方斜視図、（ｂ）は立面図、（ｃ）は下方斜視図である。
【００７１】
図２７に示すように、本実施形態の排水栓１１８は、円板状の栓体１１８ａと、栓体１１８ａの上面に形成された玉鎖連結部１１８ｂと、栓体１１８ａの下面に下方に向けて延びるように形成された円筒部１１８ｃと、円筒部１１８ｃの外周に取り付けられた円環状のシール部材１１８ｄと、円筒部１１８ｃの下面から下方に向けて延びる複数の脚部１１８ｅと、脚部１１８ｅの先端から中心に向かって突出する爪部１１８ｆと、栓体１１８ａの下面の中央に設けられた円筒状の突出部１１８ｇと、を有する。このうち、少なくとも脚部８ｄは、弾性変形可能な樹脂材料（例えば、軟質ポリ塩化ビニル（軟質ＰＶＣ））によって形成されている。
【００７２】
円筒部１１８ｃには外周全周に亘って溝が形成されており、シール部材１１８ｄは内縁部がこの溝に嵌め込まれることにより、円筒部１１８ｃに取り付けられている。
脚部１１８ｅは、後述するように、フランジ部材に排水栓１１８を装着した状態において、円筒部１１８ｃの下端の縁と、フランジ部材の外フランジとの間に隙間が形成されるような長さを有する。
なお、本実施形態では、爪部１１８ｅが排水栓１１８をオーバーフロー孔部６に取り付けられたフランジ部材に装着するための装着部として機能する。
【００７３】
図２８に示すように、本実施形態のフランジ部材は、外周面に雄ネジ１２０ａが形成された円筒部１２０ｂと、円筒部１２０ｂの一方の端部に接続された外フランジ１２０ｃと、外フランジ１２０ｃの内周に沿って設けられた小円筒部１２０ｄとを有する。
小円筒部１２０ｄの外周には全周に亘って係合溝１２０ｅが形成されており、この係合溝１２０ｅは幅が排水栓１１８の爪部１１８ｆの厚さと略等しくなるように形成されている。
【００７４】
図示は省略するが、本実施形態においても、第１実施形態と同様に、円弧状断面を有する洗面ボウルの内周面に排水栓１１８のシール部材１１８ｄの外周縁が密着することにより、排水口を止水することができる。
【００７５】
第１実施形態と同様に、本実施形態においても、排水栓は、排水口に装着していない場合には、オーバーフロー孔に装着されて保持される。図２９は、第７実施形態による洗面化粧台においてオーバーフロー孔部６に排水栓１１８を装着した様子を示す鉛直断面図である。同図に示すように、本実施形態において、オーバーフロー孔部６に排水栓１１８を装着する場合には、排水栓１１８の爪部１１８ｆを、フランジ部材１２０の小円筒部１２０ｄの外周面に形成された係合溝１２０ｅに嵌め込めばよい。なお、上記のように脚部８ｄは、弾性変形可能な樹脂材料により形成されているため、容易に排水栓１１８の爪部１１８ｆをフランジ部材１２０の係合溝１２０ｅに嵌め込むことができる。そして、これにより排水栓１１８がフランジ部材１２０に保持される。
【００７６】
このように排水栓１１８をオーバーフロー孔部６に装着した状態において、フランジ部材１２０の外フランジ１２０ｃと、排水栓１１８の円筒部１１８ｃの下縁の間に隙間が形成されているため、この間の隙間を通る通水路が形成され、この通水路を介してオーバーフロー管路９へ水を排出することができる。
本発明によっても、上記の第１実施形態と同様の効果が得られる。
【符号の説明】
【００７７】
１      洗面化粧台
２      キャビネット
３      洗面ボウル
３ａ    排水口
３ｂ    ボウル部
３ｄ    デッキ部
３ｅ    排水領域
４      水栓
５      ミラーキャビネット
６      オーバーフロー孔部
７      ヘアキャッチャー
８，１８，３８，５８，７８，９８，１１８      排水栓
８ｂ，１８ｂ，３８ａ，５８ｂ，７８ｂ，９８ｂ，１１８ｂ    栓体
８ｄ，１８ｄ，５８ｄ，７８ｄ，９８ｄ，１１８ｄ    脚部
８ｅ    装着部（突部）
８ｆ    脚片
９      オーバーフロー管路
１０    フランジ部材
１０ｃ  外フランジ
１０ｅ  係止突起
１１    パッキン
１２    玉鎖留め金具
１３    玉鎖
１４    通水路
５８ｅ  嵌合穴
５８ｆ  突出部
７８ｅ、９８ｅ、１１８ｅ  爪部
【図２】
2012187360.tif 000003
【図３】
2012187360.tif 000004
【図４】
2012187360.tif 000005
【図５】
2012187360.tif 000006
【図６】
2012187360.tif 000007
【図７】
2012187360.tif 000008
【図８】
2012187360.tif 000009
【図９】
2012187360.tif 000010
【図１０】
2012187360.tif 000011
【図１１】
2012187360.tif 000012
【図１２】
2012187360.tif 000013
【図１３】
2012187360.tif 000014
【図１４】
2012187360.tif 000015
【図１５】
2012187360.tif 000016
【図１６】
2012187360.tif 000017
【図１７】
2012187360.tif 000018
【図１８】
2012187360.tif 000019
【図１９】
2012187360.tif 000020
【図２０】
2012187360.tif 000021
【図２１】
2012187360.tif 000022
【図２２】
2012187360.tif 000023
【図２３】
2012187360.tif 000024
【図２４】
2012187360.tif 000025
【図２５】
2012187360.tif 000026
【図２６】
2012187360.tif 000027
【図２７】
2012187360.tif 000028
【図２８】
2012187360.tif 000029
【図２９】
2012187360.tif 000030
【図１】
2012187360.tif 000031